(57)【要約】【課題】適切な消耗品のみを許可認証することにより印刷品質の低下や装置故障を防止する。【解決手段】  インクカートリッジ１５０に記憶されたＩＤ（消耗品記憶情報）に基づいて、本体装置２により生成された第１の照合情報と、ＩＤに基づいて生成され、インクカートリッジ１５０のメモリ１５３に記憶されている第２の照合情報とを照合する第１照合手段と、第１照合手段による照合結果に基づいて、インクカートリッジ１５０を許可認証する認証手段１６と、少なくとも時刻情報に基づいてＩＤを生成して、ＩＤをインクカートリッジ１５０に記憶するＩＤ生成手段１５４１とを備える。【選択図】  図２
2017064959.tif 000002
【特許請求の範囲】
【請求項１】
内部にメモリを有し、印刷機に取り付けられる消耗品の認証を行う認証装置であって、
前記消耗品に記憶された消耗品記憶情報に基づいて、前記印刷機により生成された第１の照合情報と、前記消耗品記憶情報に基づいて生成され、前記メモリに記憶されている第２の照合情報とを照合する第１照合手段と、
前記第１照合手段の照合結果に基づいて、前記消耗品を許可認証する認証手段と、
少なくとも時刻情報に基づいて前記消耗品記憶情報を生成して、前記消耗品記憶情報を前記消耗品に記憶する消耗品記憶情報生成手段と、を備える
ことを特徴とする認証装置。
【請求項２】
前記印刷機の取得情報に基づいて前記印刷機により生成された第３の照合情報と、前記消耗品の取得情報に基づいて生成されて前記メモリに記憶されている第４の照合情報とを照合する第２照合手段を更に備え、
前記認証手段は、前記第１照合手段と前記第２照合手段との照合結果が、いずれも一致すると判定された場合に、前記消耗品を許可認証する
ことを特徴とする請求項１に記載の認証装置。
【請求項３】
前記時刻情報は、製造から使用時までの期間内のいずれかの時刻を示す
ことを特徴とする請求項１に記載の認証装置。
【請求項４】
前記消耗品記憶情報は、前記時刻情報に加え、位置情報に基づいて生成される
ことを特徴とする請求項１に記載の認証装置。
【請求項５】
前記消耗品が前記印刷機に装着された後に前記消耗品記憶情報が生成される場合、
前記時刻情報は、外部サーバから取得される
ことを特徴とする請求項１に記載の認証装置。
【発明の詳細な説明】
【技術分野】
【０００１】
本発明は、適切な消耗品のみを許可認証することにより印刷品質の低下や装置故障を防止する認証装置に関する。
【背景技術】
【０００２】
印刷装置ではその印刷方式によってインクカートリッジや孔版原紙など様々な消耗品が着脱可能に設けられている。
【０００３】
例えば、インクジェット印刷装置では、消耗品として色ごとにインクが貯留されたインクカートリッジが着脱可能に設けてられており、インクカートリッジからインクジェットヘッドへインクが供給され、インクジェットヘッドのノズルからインクを印刷用紙に向けて吐出して画像や文字などを印刷する。
【０００４】
このとき、不適切なインクカートリッジがインクジェット印刷装置に装着されて使用されると、例えば、インクが凝集し、凝集したインクがノズルを閉塞させ吐出不良が発生したり、用紙に着弾したインクがにじみ、画像のエッジ不良などが発生したりする。これらの不具合は印刷画像の品質低下の原因となっていた。また、インクが凝集すると装置内の各機器に過剰な負荷がかかり装置故障の原因となる場合もある。
【０００５】
そこで、特許文献１には、装着された消耗品と本体装置との間で情報を伝達し、消耗品に設置された消耗品記憶情報（例えば、適合機種情報、マッチングパラメータの設定情報、製造年月日など）に基づいて、特性を照合する画像記録装置に関する技術が開示されている。
【先行技術文献】
【特許文献】
【０００６】
【特許文献１】特開２００１−１８５０７号公報
【発明の概要】
【発明が解決しようとする課題】
【０００７】
しかしながら、上述の特許文献１に記載の画像記録装置では、伝達した消耗品記憶情報に基づいて特性を照合するので、照合の精度が低いという問題点があった。
【０００８】
照合の精度が低いと不適切な消耗品が装着されることがあり、これにより印刷画像品質の低下や印刷装置の故障の原因となる場合があった。
【０００９】
本発明は、上記課題に鑑みてなされたものであり、適切な消耗品のみを許可認証することにより印刷品質の低下や装置故障を防止する認証装置を提供することを目的とする。
【課題を解決するための手段】
【００１０】
上記目的を達成するため、本発明に係る認証装置の第１の特徴は、内部にメモリを有し、印刷機に取り付けられる消耗品の認証を行う認証装置であって、前記消耗品に記憶された消耗品記憶情報に基づいて、前記印刷機により生成された第１の照合情報と、前記消耗品記憶情報に基づいて生成され、前記メモリに記憶されている第２の照合情報とを照合する第１照合手段と、前記第１照合手段の照合結果に基づいて、前記消耗品を許可認証する認証手段と、少なくとも時刻情報に基づいて前記消耗品記憶情報を生成して、前記消耗品記憶情報を前記消耗品に記憶する消耗品記憶情報生成手段と、を備えることにある。
【００１１】
ここで、消耗品記憶情報とは、消耗品に記憶された情報のことであり、例えば、ＩＤなどのことをいう。
【００１２】
本発明に係る認証装置の第２の特徴は、前記印刷機の取得情報に基づいて前記印刷機により生成された第３の照合情報と、前記消耗品の取得情報に基づいて生成されて前記メモリに記憶されている第４の照合情報とを照合する第２照合手段を更に備え、前記認証手段は、前記第１照合手段と前記第２照合手段との照合結果が、いずれも一致すると判定された場合に、前記消耗品を許可認証することにある。
【００１３】
ここで、印刷機の取得情報は、印刷機に対して外部から入力される情報や印刷機内部で生成されることにより取得する情報であり、製造時に取得されてもよいし、流通過程において取得されてもよいし、使用開始時に取得されてもよく、取得の時期は問わない。例えば、印刷機の取得情報は、接続された消耗品や時計その他入力装置など外部から入力されるＩＤ、仕向け情報（位置情報）、インク残量情報、時刻情報、またはその組み合わせや、印刷機が内蔵する時計などにより印刷機内部で取得した時刻情報や、印刷機が内蔵するＧＰＳ（Global Positioning System）機能などにより印刷機内部で取得した位置情報などが該当する。
【００１４】
また、消耗品の取得情報は消耗品に対して外部から入力される情報や消耗品内部で生成されることにより取得する情報であり、製造時に取得されてもよいし、流通過程において取得されてもよいし、使用開始時に取得されてもよく、取得の時期は問わない。例えば、取得情報は、接続された印刷装置や時計その他入力装置など外部から入力されるＩＤ、仕向け情報（位置情報）、インク残量情報、時刻情報、またはその組み合わせや、消耗品が内蔵する時計などにより消耗品内部で取得した時刻情報や、消耗品が内蔵するＧＰＳ（Global Positioning System）機能などにより消耗品内部で取得した位置情報などが該当する。
【００１５】
本発明に係る認証装置の第３の特徴は、前記時刻情報は、製造から使用時までの期間内のいずれかの時刻を示すことにある。
【００１６】
本発明に係る認証装置の第４の特徴は、前記消耗品記憶情報は、前記時刻情報に加え、位置情報に基づいて生成されることにある。
【００１７】
本発明に係る認証装置の第５の特徴は、前記消耗品が前記印刷機に装着された後に前記消耗品記憶情報が生成される場合、前記時刻情報は、外部サーバから取得されることにある。
【発明の効果】
【００１８】
本発明に係る認証装置の第１の特徴によれば、第１照合手段が、消耗品に記憶された消耗品記憶情報に基づいて、印刷機により生成された第１の照合情報と、消耗品記憶情報に基づいて生成され、メモリに記憶されている第２の照合情報とを照合し、認証手段が、第１照合手段の認証結果に基づいて、消耗品を許可認証する。また、消耗品記憶情報生成手段は、少なくとも時刻情報に基づいて消耗品記憶情報を生成して、消耗品記憶情報を消耗品に記憶する。
【００１９】
上述のように、消耗品記憶情報は、少なくとも時刻情報に基づいて生成されるため、ユニークな消耗品記憶情報が生成される。すなわち、第１照合手段の照合に用いられる第１〜第２の照合情報の生成元となる消耗品記憶情報が、ユニークに生成される。これにより、第１〜第２の照合情報もよりユニークに生成できるため、第１照合手段と第２照合手段との照合結果の精度を高めるとともに、認証の精度も高めることができる。更に、消耗品に消耗品記憶情報が記憶されていなくとも、認証装置が、自らユニークな消耗品記憶情報を生成することができる。
【００２０】
本発明に係る認証装置の第２の特徴によれば、印刷機の取得情報に基づいて印刷機により生成された第３の照合情報と、消耗品の取得情報に基づいて生成されてメモリに記憶されている第４の照合情報とを照合する第２照合手段を更に備え、認証手段は、第１照合手段と第２照合手段との照合結果が、いずれも一致すると判定された場合に、消耗品を許可認証する。
【００２１】
そのため、第１照合手段の認証結果のみに基づいて、消耗品を許可認証する場合に比べて、認証の精度を上げることができる。これにより不適切なインクカートリッジが使用されることを確実に識別することができるので、印刷品質の低下や装置故障を防止することができる。
【００２２】
本発明に係る認証装置の第３の特徴によれば、時刻情報は、製造から使用時までの期間内のいずれかの時刻を示す。これにより、消耗品記憶情報は、製造から使用時までの期間内の時刻を示す変動範囲の広い時刻情報に基づいて生成されるため、よりユニークな情報となる。この結果、消耗品記憶情報に基づいて生成される第１の照合情報や第２の照合情報もユニークに生成できるため、第１照合手段と第２照合手段との照合結果の精度を高めるとともに、認証の精度も高めることができる。
【００２３】
本発明に係る認証装置の第４の特徴によれば、消耗品記憶情報は、時刻情報に加え、位置情報に基づいて生成される。これにより、消耗品記憶情報は、よりユニークな情報に生成される。この結果、消耗品記憶情報に基づいて生成される第１の照合情報や第２の照合情報も、よりユニークな情報として生成できるため、認証の精度を上げることができる。
【００２４】
本発明に係る認証装置の第５の特徴によれば、前記消耗品が前記印刷機に装着された後に前記消耗品記憶情報が生成される場合、前記時刻情報は、外部サーバから取得される。これにより、認証装置に時計を備える必要が無くなるため、認証装置の構成を簡略化できる。また、外部サーバが電波時計などの機能により正確な時刻を計時できる場合には、より精度の高い時刻情報を取得できる。
【図面の簡単な説明】
【００２５】
【図１】本発明の実施例１に係る認証装置であるインクジェット印刷装置の構成を説明した図である。
【図２】本発明の実施例１に係るインクジェット印刷装置が備える本体装置とインクカートリッジの機能を説明した説明図である。
【図３】本発明の実施例１に係るインクジェット印刷装置における処理手順を示したフローチャートである。
【図４】本発明の実施例１に係るインクジェット印刷装置における処理手順を示したフローチャートである。
【図５】本発明の変形例２に係るインクジェット印刷装置が備える本体装置とインクカートリッジの機能を説明した説明図である。
【図６】本発明の変形例３に係るインクジェット印刷装置が備える本体装置とインクカートリッジの機能を説明した説明図である。
【発明を実施するための形態】
【００２６】
以下、本発明の実施例に係る認証装置を、図面を参照しながら詳細に説明する。また、以下に示す実施例は、この発明の技術的思想を具体化するための装置等を例示するものであって、この発明の技術的思想は、各構成部品の配置等を下記のものに特定するものでない。この発明の技術的思想は、特許請求の範囲において、種々の変更を加えることができる。
【００２７】
［実施例１］
本発明の実施例１では、本体装置と、本体装置に対して着脱可能に取り付けられた消耗品である色毎のインクカートリッジとを備えたインクジェット印刷装置に適用された認証装置を例に挙げて説明する。
【００２８】
＜インクジェット印刷装置の構成＞
図１は、本発明の実施例１に係る認証装置であるインクジェット印刷装置１の構成を説明した図である。
【００２９】
本発明の実施例１に係るインクジェット印刷装置１は、インクカートリッジと、インクカートリッジ以外の構成を有する本体装置とを備えており、図１では、本体装置（印刷機）にインクカートリッジが装着された状態のインクジェット印刷装置１を例に挙げて説明する。
【００３０】
図１に示すように、インクジェット印刷装置１は、Ｃ（シアン）、Ｍ（マゼンタ）、Ｙ（イエロー）、Ｋ（ブラック）のインクに対応するインクジェットヘッド１１０Ｃ，１１０Ｍ，１１０Ｙ，１１０Ｋを備えており、印刷用紙は、インクジェットヘッド１１０Ｃ，１１０Ｍ，１１０Ｙ，１１０Ｋの対向面に設けられた環状の搬送ベルト（図示しない）によって印刷条件により定められる速度で搬送されながら、インクジェットヘッド１１０Ｃ，１１０Ｍ，１１０Ｙ，１１０Ｋから吐出されたインクによりライン単位で印刷される。
【００３１】
各インクは着脱可能なインクカートリッジに設けられたインクボトルから供給されるようになっており、Ｃ（シアン）のインクを供給するインクボトル１５１Ｃ、Ｍ（マゼンタ）のインクを供給するインクボトル１５１Ｍ、Ｙ（イエロー）のインクを供給するインクボトル１５１Ｙ、Ｋ（ブラック）のインクを供給するインクボトル１５１Ｋが備えられている。なお、以下においてインク色にこだわらない場合にはインクボトル１５１で代表させて説明する。他の機能部についても同様である。
【００３２】
インクボトル１５１から供給されたインクは、樹脂、金属等のパイプにより形成されたインク循環経路を通って、インクジェットヘッド１１０の下流側に設けられた下流タンクに一旦溜められる。このため、インクジェット印刷装置１には、Ｃ（シアン）のインクを溜める下流タンク１２０Ｃ、Ｍ（マゼンタ）のインクを溜める下流タンク１２０Ｍ、Ｙ（イエロー）のインクを溜める下流タンク１２０Ｙ、Ｋ（ブラック）のインクを溜める下流タンク１２０Ｋが備えられている。
【００３３】
インクジェット印刷装置１には、ポンプ１７０Ｃ、ポンプ１７０Ｍ、ポンプ１７０Ｙ、ポンプ１７０Ｋおよび上流タンク１３０Ｃ、上流タンク１３０Ｍ、上流タンク１３０Ｙ、上流タンク１３０Ｋが備えられている。下流タンク１２０に溜められたインクは、ポンプによりインクジェットヘッド１１０の上流側に設けられた上流タンクに送られる。上流タンク１３０に送られたインクは、インクを吐出する多数のノズルが設けられているインクジェットヘッド１１０に送液される。
【００３４】
上流タンク１３０は共通空気室１７２と接続されている。共通空気室１７２には、ポンプ１７３および図示しない大気開放弁が備えられており、大気開放弁を全閉してポンプ１７３により上流タンク１３０に空気を送り込んだり、大気開放弁を全開して大気圧にしたりすることにより、上流タンク１３０内の空気の圧力を調整する。
【００３５】
インクジェットヘッド１１０で吐出されなかったインクは、下流タンク１２０に戻される。上流タンク１３０からインクジェットヘッド１１０を経由して下流タンク１２０へのインク帰還は、上流タンク１３０と下流タンク１２０との水頭差を利用している。
【００３６】
インクは印刷品質が保証される温度範囲が定められており、環境温度が低く、インク温度が印刷可能である下限温度を下回っているとインクを加熱する必要がある。一方、インクジェットヘッド１１０内に設けられたドライバやピエゾ素子は動作することにより発熱し、これらの発熱やインク振動のジュール熱により、高温時におけるインク温度上昇の影響等を抑制する必要がある。そこで、インク循環経路上に、温度調節器１６１が設けられており、温度調節器１６１により、インクは、加温又は冷却される。
【００３７】
このような構成を有するインクジェット印刷装置に不適切なインクカートリッジが装着されると、例えば、インクが凝集してしまい凝集したインクがインクジェットヘッド１１０のノズルを閉塞させ吐出不良を発生させたり、搬送された印刷用紙に着弾したインクがにじみ、画像のエッジ不良などが発生したりする。さらに、インク循環経路内でインクが凝集すると、ポンプ１７０などインク送液手段に過剰な負荷がかかり装置故障の原因になる場合もある。
【００３８】
そこで、本発明の実施例１に係るインクジェット印刷装置１は、印刷品質の低下や印刷装置の故障を防止するため、装着されたインクカートリッジが使用可能か否かの認証を行う。
【００３９】
図２は、本発明の実施例１に係るインクジェット印刷装置１の機能を説明した説明図である。本発明の実施例１に係るインクジェット印刷装置１は、インクカートリッジ１５０と、本体装置２とを備える。なお、図２に示す矢印は、主な情報の送受信関係を示しているが、インクジェット印刷装置１において、情報の送受信関係は、図２に示す矢印に限定されるものでない。
【００４０】
図２に示すように、インクジェット印刷装置１は、本体装置２と、本体装置２に装着されたインクカートリッジ１５０Ｋ，１５０Ｃ，１５０Ｍ，１５０Ｙとを備えており、インクカートリッジ１５０Ｋ，１５０Ｃ，１５０Ｍ，１５０Ｙがそれぞれ使用可能か否かの認証を行う。ここで、インクカートリッジ１５０Ｋ、１５０Ｃ，１５０Ｍ，１５０Ｙのそれぞれは、同一の構成を有しているため、ここでは、インクカートリッジ１５０Ｋに着目して、その構成を説明する。また、簡略化のため、インクカートリッジ１５０Ｋ、１５０Ｃ，１５０Ｍ，１５０Ｙのそれぞれを、適宜、インクカートリッジ１５０と示す。
【００４１】
インクカートリッジ１５０は、インクボトル１５１と、非接触ＩＣ１５２とを備えている。
【００４２】
非接触ＩＣ１５２は、メモリ１５３と処理部１５４とを有しており、本体装置２との間で無線によるデータ通信を行う。
【００４３】
メモリ１５３には、インクカートリッジ１５０を一意に特定するＩＤ（消耗品記憶情報）と、インクボトル１５１に貯留されたインクの属性データと、インクカートリッジ１５０が使用される地域を示す仕向け情報と、ＩＤに基づいて生成された第１パスワード（第２の照合情報）と、インクカートリッジ１５０が使用される地域を示す仕向け情報に基づいて生成された第２パスワード（第４の照合情報）と、第１パスワード（第２の照合情報）を生成するためのプログラムである第１アルゴリズムと、第２パスワード（第４の照合情報）を生成するためのプログラムである第２アルゴリズムとが、記憶される。なお、インクの属性データには、インク色情報、インク溶媒種類情報、インク残量情報が含まれている。また、インクカートリッジ１５０が使用される地域を示す仕向け情報は、インクカートリッジ１５０の位置情報（消耗品の取得情報）としてメモリ１５３に予め記憶される。
【００４４】
ＩＤ（消耗品記憶情報）は、少なくとも時刻情報に基づいて生成される。ＩＤは、後述するＩＤ生成手段１５４１によって生成されてメモリ１５３に記憶される。
【００４５】
第１パスワードは、ＩＤに基づいて、第１アルゴリズムを用いてパスワード生成手段１５４２（後述）により生成されて、メモリ１５３に記憶される。
【００４６】
また、第２パスワードは、ＩＤと位置情報（消耗品の取得情報）としての仕向け情報とに基づいて、第２アルゴリズムを用いてパスワード生成手段１５４２（後述）により生成されて、メモリ１５３に記憶される。
【００４７】
また、処理部１５４は、ＣＰＵなどの演算処理装置によって構成されており、演算処理機能を有する。処理部１５４は、ＩＤ生成手段１５４１とパスワード生成手段１５４２とを備える。
【００４８】
ＩＤ生成手段１５４１は、少なくとも時刻情報に基づいて、ＩＤ（消耗品記憶情報）を生成し、生成したＩＤをメモリ１５３に記憶する。ＩＤ生成手段１５４１は、第１情報と第２情報との２つの情報に基づいて、ＩＤを生成する。
【００４９】
本実施例では、第１情報は、製造機器番号であり、第２情報は、製造時刻情報である場合を例に挙げて説明する。
【００５０】
製造機器番号は、インクカートリッジ１５０を製造した製造機器を識別する番号である。ＩＤ生成手段１５４１は、インクカートリッジ１５０の非接触ＩＣ１５２と通信可能な製造管理サーバ２００から製造機器番号を取得する。
【００５１】
また、製造時刻情報は、製造完了時の時刻を示す時刻情報である。ＩＤ生成手段１５４１は、内部に時計を備えており、製造完了時に時計を計時することによって、製造時刻情報を取得する。なお、本実施例において、時刻情報は、「年月日時分秒」であるが、生産速度に合わせて１秒以下の単位まで使用してもよい。
【００５２】
ＩＤ生成手段１５４１は、このようにして取得した第１情報としての製造機器番号と、第２情報としての製造時刻情報とに基づいて、ＩＤを生成する。そして、ＩＤ生成手段１５４１は、生成したＩＤをメモリ１５３に記憶する。本実施例において、ＩＤ生成手段１５４１は、消耗品記憶情報生成手段を構成する。
【００５３】
パスワード生成手段１５４２は、メモリ１５３に記憶されるＩＤに基づいて、メモリ１５３に記憶される第１アルゴリズムを用いて第１パスワード（第２の照合情報）を生成する。また、パスワード生成手段１５４２は、ＩＤとインクカートリッジ１５０が用いられる地域を示す仕向け情報とに基づいて、メモリ１５３に記憶された第２アルゴリズムを用いて第２パスワード（第４の照合情報）を生成する。
【００５４】
本体装置２は、無線通信手段１１と、第１照合手段１２と、第２照合手段１３と、パスワード生成手段１４と、位置情報取得手段１５と、認証手段１６と、表示手段１７と、メモリ１８とを備えている。
【００５５】
無線通信手段１１は、非接触ＩＣ１５２との間で無線通信を確立し、非接触ＩＣ１５２から種々の情報を読み込み、読み込んだ情報を本体装置２内の各種機能に供給する。なお、無線通信手段１１と非接触ＩＣ１５２との間で無線通信を行う際、送信側は乱数を付加して送信し、受信側は付加された乱数を削除することにより情報を取り出す。これにより、通信する情報の傍受を防止することができる。
【００５６】
第１照合手段１２は、消耗品であるインクカートリッジ１５０に記憶されたＩＤ（消耗品記憶情報）に基づいて、本体装置２のパスワード生成手段１４により生成された第１パスワード（第１の照合情報）と、ＩＤ（消耗品記憶情報）に基づいて生成され、メモリ１５３に記憶されている第１パスワード（第２の照合情報）とを照合する。
【００５７】
第２照合手段１３は、本体装置２の位置情報（印刷機の取得情報）に基づいて本体装置２のパスワード生成手段１４により生成された第２パスワード（第３の照合情報）と、インクカートリッジ１５０の位置情報（消耗品の取得情報）に基づいて生成されてメモリ１５３に記憶されている第２パスワード（第４の照合情報）とを照合する。
【００５８】
パスワード生成手段１４は、上述したインクカートリッジ１５０の処理部１５４に備えられるパスワード生成手段１５４２と同様に、第１パスワードと第２パスワードとを生成する。
【００５９】
具体的に、パスワード生成手段１４は、無線通信手段１１により読み込まれたＩＤに基づいて、メモリ１８に記憶された第１アルゴリズムを用いて第１パスワード（第１の照合情報）を生成する。また、パスワード生成手段１４は、位置情報取得手段１５により取得された位置情報（印刷機の取得情報）に基づいて、メモリ１８に記憶された第２アルゴリズムを用いて第２パスワード（第３の照合情報）を生成する。
【００６０】
位置情報取得手段１５は、メモリ１８に記憶された仕向け情報を位置情報として読み込む。
【００６１】
認証手段１６は、消耗品であるインクカートリッジ１５０の使用を許可認証する。具体的に、認証手段１６は、第１照合手段１２と第２照合手段１３との照合結果がいずれも一致すると判定された場合に、インクカートリッジ１５０を許可認証する。この認証許可により装着されたインクカートリッジ１５０は使用可能となる。
【００６２】
表示手段１７は、認証手段１６により認証が不許可の場合、装着されているインクカートリッジ１５０は使用することができない旨警告メッセージを表示する。
【００６３】
メモリ１８は、インクジェット印刷装置１が使用される地域を示す仕向け情報と、第１パスワード（第１の照合情報）を生成するためのプログラムである第１アルゴリズムと、第２パスワード（第３の照合情報）を生成するためのプログラムである第２アルゴリズムとを記憶している。また、インクジェット印刷装置１が使用される地域を示す仕向け情報は、位置情報（印刷機の取得情報）としてメモリ１８に予め記憶される。
【００６４】
メモリ１８に記憶される第１アルゴリズムは、インクカートリッジ１５０のメモリ１５３に記憶される第１アルゴリズムと共通である。また、メモリ１８に記憶される第２アルゴリズムは、インクカートリッジ１５０のメモリ１５３に記憶される第２アルゴリズムと共通である。
【００６５】
＜印刷システムの作用＞
次に、本発明の実施例１に係るインクジェット印刷装置１の作用について説明する。具体的に、本発明の実施例１に係るインクジェット印刷装置１におけるＩＤ生成処理と、本発明の実施例１に係るインクジェット印刷装置１における認証処理とについて説明する。
【００６６】
初めに、本発明の実施例１に係るインクジェット印刷装置１におけるＩＤ生成処理について説明する。ＩＤ生成処理は、主に、インクカートリッジ１５０によって実行される処理である。また、本実施例では、ＩＤ生成処理が、インクカートリッジ１５０の製造時に実行される場合を例に挙げて説明する。
【００６７】
図３は、本発明の実施例１に係るインクジェット印刷装置１におけるＩＤ生成処理の手順を示したフローチャートである。
【００６８】
図３に示すように、インクカートリッジ１５０では、ＩＤ生成手段１５４１が、第１情報として、インクカートリッジ１５０を製造した製造機器を識別する製造機器番号を取得する（ステップＳ１０１）。具体的に、ＩＤ生成手段１５４１は、インクカートリッジ１５０に接続される製造管理サーバ２００から、製造機器番号を取得する。
【００６９】
ＩＤ生成手段１５４１と製造管理サーバ２００とは、無線通信によって接続されてもよいし、有線通信によって接続されてもよい。なお、製造機器番号は、インクカートリッジ１５０のメモリ１５３に記憶されていてもよい。この場合、ＩＤ生成手段１５４１は、メモリ１５３から製造機器番号を取得する。
【００７０】
次に、ＩＤ生成手段１５４１は、第２情報として、時刻情報を取得する（ステップＳ１０２）。具体的に、ＩＤ生成手段１５４１は、内部の時計により、インクカートリッジ１５０の製造時の時刻を計時することによって製造時刻情報を取得する。なお、製造時刻情報は、製造管理サーバ２００等の外部サーバから取得されてもよい。
【００７１】
ＩＤ生成手段１５４１は、例えば、製造管理サーバ２００から製造完了時を示す通知を受けた際に時刻を計時して、製造時刻情報を取得してもよい。また、このとき、ＩＤ生成手段１５４１は、製造管理サーバ２００から、製造管理サーバ２００を識別する管理番号も取得することにより、製造時刻情報と管理番号とを第２情報として取得してもよい。
【００７２】
そして、ＩＤ生成手段１５４１は、第１情報として取得した製造機器番号と、第２情報として取得した時刻情報とに基づいて、ＩＤ（消耗品記憶情報）を生成する（ステップＳ１０３）。なお、製造機器番号と時刻情報とに基づいてＩＤを生成する生成方法については、公知の技術を適用できる。例えば、ＩＤ生成手段１５４１は、製造機器番号に時刻情報を付加することによりＩＤを生成してもよいし、製造機器番号と製造時刻情報とに基づいて所定のアルゴリズムを用いてＩＤを生成してもよい。
【００７３】
また、ＩＤ生成手段１５４１は、インクカートリッジ１５０のメモリ１５３に生成したＩＤを記憶する（ステップＳ１０４）。
【００７４】
次に、パスワード生成手段１５４２は、メモリ１５３に記憶されたＩＤに基づいて、メモリ１５３に記憶される第１アルゴリズムを用いて第１パスワードを生成するとともに、生成した第１パスワードをメモリ１５３に記憶する（ステップＳ１０５）。
【００７５】
続いて、パスワード生成手段１５４２は、メモリ１５３に記憶されたＩＤと、インクカートリッジ１５０の使用される地域を示す仕向け情報に基づいて、メモリ１５３に記憶される第２アルゴリズムを用いて第２パスワードを生成するとともに、生成した第２パスワードをメモリ１５３に記憶する（ステップＳ１０６）。
【００７６】
上述したＩＤ生成処理を実行することによって、インクカートリッジ１５０のメモリ１５３には、ＩＤと第１パスワードと第２パスワードとが記憶される。
【００７７】
次に、本発明の実施例１に係るインクジェット印刷装置１における認証処理の手順について説明する。図４は、本発明の実施例１に係るインクジェット印刷装置１における認証処理の手順を示したフローチャートである。なお、認証処理は、上述したＩＤ生成処理よりも後に実行される。具体的に、認証処理は、インクカートリッジ１５０が本体装置２に装着後に実行される。
【００７８】
図４に示すように、本発明の実施例１に係るインクジェット印刷装置１は、電源オン、省電力モードからの復帰、または図示しないセンサーの検出結果に基づいて本体装置２にインクカートリッジ１５０が装着されたことを検出すると（ステップＳ２０１；“ＹＥＳ”）、本体装置２の無線通信手段１１が非接触ＩＣ１５２との間で無線通信を確立し、非接触ＩＣ１５２からＩＤ（消耗品記憶情報）と第１パスワード（第２の照合情報）とを読み込む（ステップＳ２０２）。
【００７９】
次に、パスワード生成手段１４は、無線通信手段１１により読み込まれたＩＤに基づいて、メモリ１８に記憶された第１アルゴリズムを用いて第１パスワード（第１の照合情報）を生成する（ステップＳ２０３）。
【００８０】
そして、第１照合手段１２は、無線通信手段１１により読み込まれた第１パスワード（第２の照合情報）と、ステップＳ２０３において生成された第１パスワード（第１の照合情報）とが一致するか否かの照合を行う（ステップＳ２０４）。ここで、インクカートリッジ１５０がインクジェット印刷装置１に適合する製品である場合には、２つの第１パスワードは、いずれも共通のＩＤに基づいて、共通の第１アルゴリズムを用いて生成されることになるので、２つの第１パスワードは、一致することになる。
【００８１】
また、２つの第１パスワードが一致しない場合（ステップＳ２０４；ＮＯ）、インクカートリッジ１５０はインクジェット印刷装置１に適合する製品ではないことになるので、認証手段１６は、表示手段１７に装着されているインクカートリッジは使用することができない旨警告メッセージを表示させる（ステップＳ２０９）。
【００８２】
一方、２つの第１パスワードが一致する場合（ステップＳ２０４；ＹＥＳ）、装着されているインクカートリッジは適切なものである可能性がある。
【００８３】
そこで、本体装置２の無線通信手段１１が非接触ＩＣ１５２との間で無線通信を確立し、非接触ＩＣ１５２のメモリ１５３から第２パスワード（第４の照合情報）を読み込む（ステップＳ２０５）。
【００８４】
さらに、位置情報取得手段１５は、メモリ１８に記憶された仕向け情報を位置情報として取得する（ステップＳ２０６）。
【００８５】
パスワード生成手段１４は、ステップＳ２０２において読み込まれたＩＤと、ステップＳ２０６において取得された仕向け情報とに基づいて、メモリ１８に記憶された第２アルゴリズムを用いて第２パスワード（第３の照合情報）を生成する（ステップＳ２０７）。
【００８６】
そして、第２照合手段１３は、無線通信手段１１により読み込まれた第２パスワード（第４の照合情報）と、ステップＳ２０７において生成された第２パスワード（第３の照合情報）とが一致するか否か照合する（ステップＳ２０８）。ここで、インクカートリッジ１５０のメモリ１５３に記憶される第２パスワードは、ＩＤとインクカートリッジ１５０の仕向け情報とに基づいて第２アルゴリズムを用いて予め生成されて記憶されている。インクカートリッジ１５０とインクジェット印刷装置１とは同じ地域で使用されることが前提であるので、インクカートリッジ１５０がインクジェット印刷装置１に適合する製品である場合には、インクカートリッジ１５０のメモリ１５３に記憶される第２パスワードと、ステップＳ２０７において生成された第２パスワードとは、一致することになる。
【００８７】
２つの第２パスワードが一致しない場合（ステップＳ２０８；ＮＯ）、インクカートリッジ１５０はインクジェット印刷装置１に適合する製品ではないことになるので、認証手段１６は、表示手段１７に装着されているインクカートリッジは使用することができない旨警告メッセージを表示させる（ステップＳ２０９）。
【００８８】
一方、２つの第２パスワードが一致する場合（ステップＳ２０８；ＹＥＳ）、認証手段１６は、装着されているインクカートリッジ１５０は適切なものであると判定し、装着されているインクカートリッジの使用を許可認証する（ステップＳ２１０）。
【００８９】
以上のように、本発明の実施例１に係るインクジェット印刷装置１によれば、少なくとも製造時刻情報に基づいてＩＤを生成して、生成したＩＤをインクカートリッジ１５０に記憶するＩＤ生成手段１５４１を備える。すなわち、第１パスワードと第２パスワードとの生成元となるＩＤは、計時の度に変化する時刻情報に基づいて生成されるため、よりユニークに生成される。これにより、ＩＤが固定的な情報である場合に比べて、第１パスワードと第２パスワードとをよりユニークに生成できるため、第１照合手段１２と第２照合手段１３との照合結果の精度を高めるとともに、認証の精度も高めることができる。
【００９０】
また、インクカートリッジ１５０にＩＤが記憶されていなくとも、インクジェット印刷装置１が、自らユニークなＩＤを生成することも可能になる。特に、通常、ＩＤは非接触ＩＣの製造段階で記録されるため、事前にＩＤの採番方法を規定した上で非接触ＩＣを大量に生産しておく必要があり、結果として、製造コストが割高となる傾向にある。本発明の実施例１に係るインクジェット印刷装置１によれば、非接触ＩＣ１５２を製造した後にＩＤを生成し、生成したＩＤを記憶させることが可能になるため、汎用的なメモリを備えた非接触ＩＣも使用することが可能になる。これにより、製造コストの抑制にも寄与できる。
【００９１】
また、本発明の実施例１に係るインクジェット印刷装置１によれば、第１照合手段１２と第２照合手段１３との照合結果がいずれも一致すると判定された場合に、認証手段１６が消耗品であるインクカートリッジ１５０を許可認証するので、認証の精度を上げることができる。これにより不適切なインクカートリッジが使用されないように確実に識別することができるので、印刷品質の低下や装置故障を防止することができる。
【００９２】
なお、上述した実施例１では、認証手段１６は、第１照合手段１２と第２照合手段１３との２つの照合結果がいずれも一致すると判定された場合に、消耗品であるインクカートリッジ１５０を許可認証していたが、認証手段１６は、必ずしも２つの認証結果に基づいて、許可認証しなくてもよい。
【００９３】
すなわち、認証手段１６は、第１照合手段１２の照合結果と第２照合手段１３の照合結果とのうちの少なくとも一方の照合結果に基づいて、消耗品であるインクカートリッジ１５０を許可認証してもよい。例えば、図４に示すステップＳ２０４の後、ステップＳ２０５〜Ｓ２０８を実施せずに、ステップＳ２０９〜Ｓ２１０の処理を実施してもよい。或いは、図４に示すステップＳ２０１の後、ステップＳ２０２〜Ｓ２０４を実施せずに、ステップＳ２０５〜Ｓ２１０の処理を実施してもよい。このように、認証手段１６は、ＩＤを用いて生成した第１パスワード（又は第２パスワード）の照合結果に基づいて、インクカートリッジ１５０を許可認証できれば、２つの認証結果は、必ずしも必要ない。
【００９４】
［変形例１］
上述した本発明の実施例１では、ＩＤ生成手段１５４１は、インクカートリッジ１５０の製造時において、ＩＤ生成処理を実行していた。
【００９５】
変形例１では、ＩＤ生成手段１５４１は、インクカートリッジ１５０の流通時にＩＤ生成処理を実行する。具体的に、ＩＤ生成手段１５４１は、インクカートリッジ１５０の物流拠点の入荷時又は出荷時に、ＩＤ生成処理を実行する。
【００９６】
また、変形例１では、ＩＤ生成手段１５４１は、第１情報としての拠点識別情報と、第２情報としての拠点時刻情報とに基づいて、ＩＤ（消耗品記憶情報）を生成する。
【００９７】
拠点識別情報は、インクカートリッジ１５０の物流拠点を識別する情報である。ＩＤ生成手段１５４１は、物流拠点に設置される拠点管理サーバ（不図示）から拠点を識別する拠点識別情報を取得する。なお、インクカートリッジ１５０のメモリ１５３に拠点識別情報が予め記憶されていてもよい。この場合、ＩＤ生成手段１５４１は、メモリ１５３から拠点識別情報を取得する。
【００９８】
また、拠点時刻情報は、インクカートリッジ１５０の物流拠点の入荷時の時刻又は出荷時の時刻を示す時刻情報である。ＩＤ生成手段１５４１は、インクカートリッジ１５０の物流拠点の入荷時又は出荷時の時刻を計時することによって拠点時刻情報を取得する。
【００９９】
次に、変形例１に係るインクジェット印刷装置１におけるＩＤ生成処理について、図３に示すフローチャートを参照しながら、実施例１に係るＩＤ生成処理との相違点に着目して説明する。
【０１００】
まず、ステップＳ１０１において、ＩＤ生成手段１５４１は、第１情報としての拠点識別情報を拠点管理サーバ（不図示）から取得する。ステップＳ１０２において、ＩＤ生成手段１５４１は、拠点管理サーバ（不図示）からの通知に基づいて、時刻を計時して、第２情報としての拠点時刻情報を取得する。なお、ＩＤ生成手段１５４１は、拠点時刻情報に加えて、他の情報も第２情報として取得してもよい。例えば、ＩＤ生成手段１５４１は、拠点管理サーバ（不図示）を識別する管理サーバ番号と拠点時刻情報とを第２情報として取得してもよい。
【０１０１】
そして、ステップＳ１０３において、ＩＤ生成手段１５４１は、拠点識別情報と拠点時刻情報とに基づいて、ＩＤを生成する。
【０１０２】
ステップＳ１０４において、ＩＤ生成手段１５４１は、インクカートリッジ１５０のメモリ１５３に生成したＩＤを記憶する。
【０１０３】
この後のステップＳ１０５〜Ｓ１０６の作用は、上述した実施例１と同様であるため、ここでは説明を省略する。なお、変形例１に係る認証処理も、実施例１に係る認証処理と同様であるため、説明を省略する。
【０１０４】
以上のように、本発明の変形例１に係るインクジェット印刷装置１によれば、第１パスワードと第２パスワードとの生成元となるＩＤが、物流経路によって情報が異なる拠点識別情報と、計時の度に変化する時刻情報とに基づいて生成されたＩＤであるので、よりユニークなＩＤを生成できる。これにより、第１パスワードと第２パスワードとの生成元となるＩＤが固定的な情報である場合に比べて、第１パスワードと第２パスワードとをよりユニークに生成できる。よって、第１照合手段１２と第２照合手段１３との照合結果の精度を高めるとともに、認証の精度も高めることができる。
【０１０５】
［変形例２］
次に、本発明の変形例２に係るインクジェット印刷装置１の構成について説明する。
【０１０６】
上述した本発明の実施例１では、ＩＤ生成手段１５４１は、インクカートリッジ１５０の製造時において、ＩＤ生成処理を実行していた。
【０１０７】
変形例２では、ＩＤ生成手段１５４１は、インクカートリッジ１５０が本体装置２に装着された後にＩＤ生成処理を実行する。なお、インクカートリッジ１５０が本体装置２に装着された後とは、インクカートリッジ１５０が本体装置２に装着される装着時や、インクカートリッジ１５０を使用している使用時も含む。
【０１０８】
図５は、本発明の変形例２に係るインクジェット印刷装置１が備える本体装置２とインクカートリッジ１５０の機能を説明した説明図である。なお、本発明の変形例２に係るインクジェット印刷装置１と実施例１に係るインクジェット印刷装置１との主な相違点は、次の通りである。
【０１０９】
図５に示すように、変形例２では、ＩＤ生成手段１５４１は、第１情報としての本体シリアル番号と、第２情報としての装着時刻情報とに基づいて、ＩＤ（消耗品記憶情報）を生成する。
【０１１０】
本体シリアル番号は、本体装置２を識別する識別番号である。ＩＤ生成手段１５４１は、本体装置２のメモリ１８から、本体シリアル番号を第１情報として取得する。
【０１１１】
また、装着時刻情報は、インクカートリッジ１５０が本体装置２に装着された時刻を示す時刻情報である。ＩＤ生成手段１５４１は、インクカートリッジ１５０が本体装置２に装着された時刻を計時することによって装着時刻情報を取得する。なお、拠点時刻情報は、本体装置２から取得してもよい。
【０１１２】
次に、変形例２に係るインクジェット印刷装置１におけるＩＤ生成処理について、図３に示すフローチャートを参照しながら、実施例１に係るＩＤ生成処理との相違点に着目して説明する。
【０１１３】
まず、ステップＳ１０１において、本体装置２にインクカートリッジ１５０が装着されると、ＩＤ生成手段１５４１は、メモリ１８から、本体装置２の識別番号である本体シリアル番号を第１情報として取得する。
【０１１４】
ステップＳ１０２において、ＩＤ生成手段１５４１は、装着時刻情報を第２情報として取得する。具体的に、ＩＤ生成手段１５４１は、図示しないセンサーの検出結果に基づいて本体装置２にインクカートリッジ１５０が装着されたことを検出すると、内部の時計を計時することにより装着時刻情報を第２情報として取得する。
【０１１５】
このとき、ＩＤ生成手段１５４１は、インターネットなどのネットワークを介して、本体装置２に接続される外部サーバ（不図示）から装着時刻情報を取得してもよい。これにより、ＩＤ生成手段１５４１に内部時計を備える必要が無くなり、ＩＤ生成手段１５４１の構成を簡略化できる。また、外部サーバ（不図示）が電波時計などの機能により正確な時刻を計時できる場合には、より精度の高い時刻情報を取得できる。
【０１１６】
ステップＳ１０３において、ＩＤ生成手段１５４１は、第１情報としての本体シリアル番号と、第２情報としての装着時刻情報とに基づいて、ＩＤ（消耗品記憶情報）を生成する。
【０１１７】
ステップＳ１０４において、ＩＤ生成手段１５４１は、インクカートリッジ１５０のメモリ１５３に生成したＩＤを記憶する。
【０１１８】
この後のステップＳ１０５〜Ｓ１０６の作用は、上述した実施例１と同様であるため、ここでは説明を省略する。なお、変形例２に係る認証処理も、実施例１に係る認証処理と同様であるため、説明を省略する。
【０１１９】
以上のように、本発明の変形例２に係るインクジェット印刷装置１によれば、第１パスワードと第２パスワードとの生成元となるＩＤは、インクカートリッジ１５０を装着した本体装置２ごとに情報が異なる本体シリアル番号と、インクカートリッジ１５０が本体装置２に装着されるタイミングによって変化する時刻情報とに基づいて生成されたＩＤであるので、よりユニークなＩＤを生成できる。これにより、第１パスワードと第２パスワードとの生成元となるＩＤが固定的な情報である場合に比べて、第１パスワードと第２パスワードとをよりユニークに生成できる。よって、第１照合手段１２と第２照合手段１３との照合結果の精度を高めるとともに、認証の精度も高めることができる。
【０１２０】
また、第２情報として用いられる時刻情報は、製造から使用時までの期間内のいずれかの時刻を示す情報であってもよい。これにより、ＩＤは、製造から使用時までの期間内の時刻を示す変動範囲の広い時刻情報に基づいて生成されるため、よりユニークな情報となる。この結果、ＩＤに基づいて生成される第１パスワードや第２パスワードも変動範囲の大きいユニークな情報を生成できるため、第１照合手段１２と第２照合手段１３との照合結果の精度を高めるとともに、認証の精度も高めることができる。
【０１２１】
なお、ＩＤ生成手段１５４１は、第１情報として、本体装置２のメモリ１８に記憶される本体装置２の使用される地域を示す仕向け情報を、位置情報として更に取得してもよい。これによりＩＤは、本体シリアル情報と装着時刻情報とに加えて、位置情報に基づいて生成されるため、よりユニークな情報に生成される。この結果、ＩＤに基づいて生成される第１パスワードや第２パスワードも、よりユニークな情報として生成できるため、認証の精度を上げることができる。
【０１２２】
［変形例３］
次に、本発明の変形例３に係るインクジェット印刷装置１の構成について説明する。
【０１２３】
本発明の変形例３では、ＩＤ生成手段１５４１が、インクカートリッジ１５０が本体装置２に装着された後にＩＤ生成処理を実行する。この点では、上述した変形例２と共通するが、本発明の変形例３では、ＩＤ生成手段１５４１が、第１情報を本体装置２に接続されるドングル３００から取得するという点で、上述した変形例２と相違する。
【０１２４】
図６は、本発明の変形例３に係るインクジェット印刷装置１が備える本体装置２とインクカートリッジ１５０の機能を説明した説明図である。
【０１２５】
図６に示すように、変形例３に係るインクジェット印刷装置１では、ＩＤ生成手段１５４１は、第１情報として、本体装置２に接続されるドングル３００からキー情報を取得する。
【０１２６】
ここで、キー情報とは、本体装置２に対して印刷動作の許可を承認するための情報であり、本体装置２は、ドングル３００からキー情報を取得することによって、印刷動作が実行可能となる。
【０１２７】
また、ＩＤ生成手段１５４１は、上述した変形例２と同様に、第２情報として、時刻情報を取得する。具体的に、ＩＤ生成手段１５４１は、内部に備える時計により計時することによって時刻情報である装着時刻情報を取得する。
【０１２８】
次に、変形例３に係るインクジェット印刷装置１におけるＩＤ生成処理について、図３に示すフローチャートを参照しながら、実施例１に係るＩＤ生成処理との相違点に着目して説明する。
【０１２９】
まず、ステップＳ１０１において、ＩＤ生成手段１５４１は、第１情報として、ドングル３００からキー情報を取得する。
【０１３０】
ステップＳ１０２において、ＩＤ生成手段１５４１は、装着時刻情報を第２情報として取得する。なお、本体装置２が、インターネットなどのネットワークを介して、ドングル３００の有効性を確認するための有効性確認情報を取得している場合、ＩＤ生成手段１５４１は、装着時刻情報に加えて、ドングル３００の有効性確認情報も取得してもよい。すなわち、ＩＤ生成手段１５４１は、装着時刻情報と有効性確認情報とを第２情報として取得してもよい。
【０１３１】
ステップＳ１０３において、ＩＤ生成手段１５４１は、第１情報としてのキー情報と、第２情報としての装着時刻情報とに基づいて、ＩＤを生成する。
【０１３２】
ステップＳ１０４において、ＩＤ生成手段１５４１は、メモリ１５３に生成したＩＤを記憶する。
【０１３３】
この後のステップＳ１０５〜Ｓ１０６の作用は、上述した実施例１と同様であるため、ここでは説明を省略する。なお、変形例３に係る認証処理も、実施例１に係る認証処理と同様であるため、説明を省略する。
【０１３４】
以上のように、本発明の変形例３に係るインクジェット印刷装置１によれば、第１パスワードと第２パスワードとの生成元となるＩＤは、ドングル３００ごとに記憶される情報が異なるキー情報と、インクカートリッジ１５０が本体装置２に装着されるタイミングによって変化する時刻情報とに基づいて生成されたＩＤであるので、よりユニークなＩＤを生成できる。これにより、第１パスワードと第２パスワードとの生成元となるＩＤが固定的な情報である場合に比べて、第１パスワードと第２パスワードとをよりユニークに生成できる。よって、第１照合手段１２と第２照合手段１３との照合結果の精度を高めるとともに、認証の精度も高めることができる。
【０１３５】
［本発明のその他の実施例］
以上、上述の実施例を用いて本発明について詳細に説明したが、当業者にとっては、本発明が本明細書中に説明した実施例に限定されるものではないということは明らかである。
【０１３６】
例えば、上述した実施例では、認証装置がインクジェット印刷装置１である場合を例に挙げて説明したが、本発明に係る認証装置は、消耗品を備えた印刷装置であればどのような印刷方式の印刷装置でも適用することができる。例えば、認証装置は、孔版印刷装置であってもよい。この場合、消耗品は、孔版マスター、孔版インク、又は、その他消耗品である。
【０１３７】
更に、認証装置は、電子写真方式（所謂、トナー方式）により印刷するトナー印刷装置であってもよい。この場合、消耗品は、トナーカートリッジ（トナーボトル）である。
【０１３８】
また、ＩＤ生成手段１５４１が、第１情報として、インクカートリッジ１５０のメモリ１５３に記憶される他の情報（例えば、仕向け情報）を取得してもよいし、本体装置２のメモリ１８に記憶される他の情報（例えば、本体装置２のマックアドレス）を取得してもよい。
【０１３９】
また、例えば、上述した実施例では、インクカートリッジ１５０の処理部１５４が、ＩＤ生成手段１５４１を備えている場合を例に挙げて説明したが、これに限定されない。インクジェット印刷装置１の外部装置（不図示）が、ＩＤ生成手段１５４１を備えていてもよい。例えば、製造管理サーバ２００や拠点管理サーバ（不図示）などの外部装置が、ＩＤ生成手段１５４１を備えおり、外部装置に備えられるＩＤ生成手段１５４１が、ＩＤ生成処理の実行によりＩＤを生成してもよい。この場合、インクジェット印刷装置１と外部装置とによって構成されるシステムが、インクカートリッジ１５０を認証する認証システムを構成する。
【０１４０】
このように、本発明は上記実施の形態そのままに限定されるものではなく、実施段階ではその要旨を逸脱しない範囲で構成要素を変形して具体化できる。また、上記実施の形態に開示されている複数の構成要素の適宜な組み合せにより、種々の発明を形成できる。例えば、実施の形態に示される全構成要素から幾つかの構成要素を削除してもよい。
【符号の説明】
【０１４１】
１…インクジェット印刷装置
２…本体装置
１１…無線通信手段
１２…第１照合手段
１３…第２照合手段
１４…パスワード生成手段
１５…位置情報取得手段
１６…認証手段
１７…表示手段
１８…メモリ
１１０…インクジェットヘッド
１５０…インクカートリッジ
１５１…インクボトル
１５２…非接触ＩＣ
１５３…メモリ
１５４…処理部
２００…製造管理サーバ
３００…ドングル
１５４１…ＩＤ生成手段
１５４２…パスワード生成手段
【図１】
2017064959.tif 000003
【図２】
2017064959.tif 000004
【図３】
2017064959.tif 000005
【図４】
2017064959.tif 000006
【図５】
2017064959.tif 000007
【図６】
2017064959.tif 000008